(57)【要約】【課題】  全体形状が、携帯に適した手のひらに入る程度の大きさの薄いケース状であり、交換可能な複数の芳香剤シートを収納する薄板状のカートリッジを具備することによって、芳香剤容器を携帯に適した薄型のものとし、芳香剤を必要に応じて簡単に交換可能とし、さらに複数の芳香剤を同時に放散させることができる芳香剤容器を提供すること。【解決手段】  外形が薄型の芳香剤容器であって、芳香剤を含有した種々の芳香剤シートを具え、該芳香剤シートを取着する交換可能な薄板状のカートリッジと、カートリッジをスライドさせて引出し可能に支持する基台と、基台に固着されたカートリッジを覆うカバーとを具備していることを特徴とする構成を採用する。【選択図】  図１
2007320606.tif 000002
【特許請求の範囲】
【請求項１】
外形が薄型の芳香剤容器であって、
芳香剤を含有した種々の芳香剤シートを具え、
該芳香剤シートを取着する交換可能な薄板状のカートリッジと、カートリッジをスライドさせて引出し可能に支持する基台と、基台に固着されたカートリッジを覆うカバーとを具備していることを特徴とする芳香剤容器。
【請求項２】
カートリッジおよびカバーが、基台の両面に設けられていることを特徴とする請求項１記載の芳香剤容器。
【請求項３】
カートリッジが、芳香剤の種類に応じて着色されていることを特徴とする請求項１または２記載の芳香剤容器。
【発明の詳細な説明】
【技術分野】
【０００１】
本発明は、薄板状のカートリッジを具えた芳香剤容器であって、とくに、全体形状が携帯に適した手のひらに入る程度の大きさの薄いケース状であり、芳香剤使用時には、薄板状のカートリッジを引出すことによって、芳香剤を放散させる容器に関するものである。
【背景技術】
【０００２】
所要の場所で香りを楽しむため、手軽に携帯できる芳香剤容器は、従来より知られている（例えば、特許文献１、特許文献２参照）。
【特許文献１】特開２００２−３０６２３８号公報
【特許文献２】特開２００５−４０２０７号公報
【発明の開示】
【発明が解決しようとする課題】
【０００３】
しかしながら、上記特許文献１、特許文献２記載の従来技術は、いずれも芳香剤容器として、一種の芳香剤を収納しており、所望のときに、異なる香りを楽しむことができないという問題があった。
また、二種類の芳香剤を、同時に放散させ、混合した香りを楽しむことができないという問題があった。
【０００４】
芳香剤容器は、棒状であるので、携帯にあたって、嵩張るという問題があった。
【０００５】
本発明は、上記の問題を解決することを課題とし、全体形状が、携帯に適した手のひらに入る程度の大きさの薄いケース状であり、交換可能な複数の芳香剤シートを収納する薄板状のカートリッジを具備することによって、芳香剤容器を携帯に適した薄型のものとし、芳香剤を必要に応じて簡単に交換可能とし、さらに複数の芳香剤を同時に放散させることができる芳香剤容器を提供することを目的とする。
【課題を解決するための手段】
【０００６】
本発明は、前記の課題を解決するために、芳香剤容器として、外形が薄型の芳香剤容器であって、芳香剤を含有した種々の芳香剤シートを具え、該芳香剤シートを取着する交換可能な薄板状のカートリッジと、カートリッジをスライドさせて引出し可能に支持する基台と、基台に固着されたカートリッジを覆うカバーとを具備していることを特徴とする構成を採用する。
【０００７】
また、具体的な実施例として、カートリッジおよびカバーが、基台の両面に設けられていることを特徴とする構成、または、カートリッジが、芳香剤の種類に応じて着色されていることを特徴とする構成を採用する。
【発明の効果】
【０００８】
芳香剤容器を、薄型の手のひらに入る程度の大きさの薄いケース状のものとしたので、携帯用に便利となった。
【０００９】
複数のカートリッジが交換可能な構成となっているので、香りの選択ばかりでなく、香りのブレンドをすることができるようになった。
【００１０】
交換可能なカートリッジ色を芳香剤の種類に応じて着色して、芳香剤の特徴を視覚的に認識できるようにした。
【発明を実施するための最良の形態】
【００１１】
次に、本発明の芳香剤容器について、図面を参照して説明する。
本発明の芳香剤容器は、芳香剤シートを交換可能に装着したカートリッジを取変え自在としたものである。  
【００１２】
図１において、Ａ１、Ａ２はカートリッジ、Ｂ１、Ｂ２はカートリッジに収納された芳香剤シート、Ｃは基台、Ｄ１、Ｄ２はカバーである。
【００１３】
図１〜３に示すように、カートリッジＡ１、Ａ２は、芳香剤シートＢの周囲を包囲して支持する枠体１と、枠体１の端部に連設された摘み部２とからなっている。
枠体１は、円弧状の前板３と、両側の直線状の側板４、後板５とから構成されており、前板３上端には、内方に突出する押さえ板６が設けられている。
【００１４】
側板４の下端には、内方に突出する支持枠７が設けられ、上端には、カバーＤの内側側面と滑合する案内突条８が設けられ、該案内突条８下部の側板４外面には、基台Ｃに設けられた係止部と係合する一対の係止突起９が突出されている。
後板５の内面には、係止突条１０が設けられている。
【００１５】
芳香剤シートＢは、液状の芳香剤を含浸させ、一部に開口部を設けたフィルムで被覆した不織布、多孔性樹脂、または粒状芳香剤の被覆品、或いは板状の固形物等が用いられ、カートリッジＡ１、Ａ２の支持枠７に載置され、押さえ板６と係止突条１０によって保持されるようにシート状に形成されている。
【００１６】
図４に示すように、基台Ｃは、前後を円弧部とした長孔状の基板１５を具えており、基板１５の上下面には、円弧部１６と両側の直線部１７の周縁に沿って、ほぼＵ字形の内外二条のリブ１８ａ、１８ｂが一定間隔をおいて、平行に設けられており、二条のリブ１８ａ、１８ｂの間には、Ｕ字状の凹溝１９が形成されている。
【００１７】
内側のリブ１８ａの内面には、カートリッジＡ１、Ａ２の係止突起９と係合挟持する一対の係止部２０が形成されている。
基板１５の角部には、突出部２１が設けられ、携帯用のストラップを通すための孔２２が穿孔されている。
【００１８】
図５に示すように、カバーＤ１、Ｄ２は、円弧と三つの直線縁とを具え、平面形状がカートリッジＡの摘み部２に対応する部分を除いた部分を覆う形状であり、透明または半透明とし、内部が見えるように構成されている。
円弧縁に沿って、摘み部２とほぼ同形の摘み部２５が形成され、その他の部分は、押さえ部２６となっている。
摘み部２５に対向する直線縁部２７は開放され、カートリッジＡ１が挿入できるように構成され、カバーの裏面には、基台ＣのＵ字状の凹溝１９と嵌合するＵ字状の凸条２８と、カートリッジＡ１の案内突条８と係合する係合段部２９が設けられている。
【００１９】
次に、本発明の芳香剤容器の使用態様と作用効果について説明する。
芳香剤容器の組立にあたっては、芳香剤シートＢを載置したカートリッジＡ１、Ａ２を、基台Ｃの上下面に装着し、次いで、上下からカートリッジＡ１、Ａ２を被うようにカバーＤ１、Ｄ２を取付ける。
【００２０】
カートリッジＡの挿入は、基台Ｃの基板１５上で、枠体１の案内突条８が係合段部２９に摺動案内され、カバーＤの取付けは、基台ＣのＵ字状の凹溝１９に、Ｕ字状の凸条２８を嵌合することによって固定され、カートリッジＡは摺動可能とされる。
【００２１】
その際、係止突起９は、係止部２０との係合により、カートリッジＡを定位置に保持するとともに、基台Ｃから不用意に抜け落ちることを防止している。
また、枠体１の両側は、比較的肉薄に構成されているため、弾性変形可能であるから、カートリッジＡを交換する際には、一定の力以上で引出すことによって係止突起９が係止部２０を乗り越えることが可能である。
したがって、カートリッジＡは、必要に応じて容易に交換可能である。
【００２２】
カートリッジＡは、芳香剤の種類に応じて着色して、芳香剤の特徴を視覚的に認識できるようにする。
例えば、ミントの芳香剤の場合には青色とし、薔薇の芳香剤の場合には薔薇色を選択するというようにしておくと、芳香剤の選択が容易にできる。
【００２３】
使用にあたって、図６に示すように、カートリッジＡを所定の位置までスライドさせて引出した状態で一時的に固定して、芳香剤を放散させることができる。
カートリッジＡを２枚同時に引出すことも可能で、二種類の芳香剤を放散させることができ、香水をブレンドして使用するのと同様の作用効果を奏することができる。
【００２４】
カートリッジＡは、一定の力以上で引出すことによって交換可能であるから、多種類のものを用意しておくことによって、多様な組み合わせを選択することもでき、また、芳香剤シートＢも交換可能であるから、香りの選択範囲をさらに広げることができる。
【００２５】
芳香剤容器、カートリッジ、芳香剤シートは薄型であるため、携帯、持ち運びが簡単にでき、全体形状が携帯電話と類似した形状であるため、携帯電話と重ねて同時に持ち運べば便利である。
【産業上の利用可能性】
【００２６】
本発明は、芳香剤容器は、手のひらに入る程度の大きさの薄いケース状であるから、携帯用の芳香剤容器として広く利用できる。
また、複数のカートリッジが交換可能な構成となっているから、香りのブレンドをすることができる芳香剤容器として利用できる。
【図面の簡単な説明】
【００２７】
【図１】本発明の芳香剤容器の断面正面図である。
【図２】容器の説明図で、（ａ）はカバーを外したときの上面図、（ｂ）は下方のカートリッジを除いたときの断面側面図である。
【図３】カートリッジの説明図で、（ａ）は断面立面図、（ｂ）は上面図、（ｃ）は図（ａ）のＡ−Ａ線における断面立面図である。
【図４】基台の説明図で、（ａ）は断面立面図、（ｂ）は上面図、（ｃ）は図（ａ）のＡ−Ａ線における断面立面図である。
【図５】カバーの説明図で、（ａ）は断面立面図、（ｂ）は下面図である。
【図６】芳香剤容器の使用時の説明図である。
【符号の説明】
【００２８】
Ａ１、Ａ２    カートリッジ
Ｂ            芳香剤シート
Ｃ            基台
Ｄ１、Ｄ２    カバー
１            枠体
２            摘み部
３            前板
４            側板
５            後板
６            押さえ板
７            支持枠
８            案内突条
９            係止突起
１０          係止突条
１５          基板
１６          円弧部
１７          直線部
１８ａ，ｂ    リブ
１９          凹溝
２０          係止部
２１          突出部
２２          孔
２５          摘み部
２６          押さえ部
２７          直線縁部
２８          凸条
２９          係合段部
【図１】
2007320606.tif 000003
【図２】
2007320606.tif 000004
【図３】
2007320606.tif 000005
【図４】
2007320606.tif 000006
【図５】
2007320606.tif 000007
【図６】
2007320606.tif 000008